【手続補正書】
【提出日】平成24年5月24日(2012.5.24)
【手続補正１】
【補正対象書類名】特許請求の範囲
【補正対象項目名】全文
【補正方法】変更
【補正の内容】
【特許請求の範囲】
【請求項１】
少なくとも第１ＬＥＤと、第２ＬＥＤとを含む複数の発光ダイオード（ＬＥＤ）を備えるソリッドステート照明装置であって、前記ＬＥＤのペアからの光を混合することによって生じた混合光がほぼターゲット色度を有し、前記第１ＬＥＤが可視スペクトルのうちの青色部分または緑色部分内の光を発光する第１ＬＥＤチップを含むと共に、前記第１ＬＥＤチップが発光した光に応答して赤色光を発光する第１の蛍光体を含み、前記第２ＬＥＤは、可視スペクトルのうちの青色または緑色部分内の光を発光する第２ＬＥＤチップを含み、更に第２ＬＥＤチップによって発光された光に応答して黄色または黄色−緑色光を発光する第２蛍光体を含み、前記第２チップおよび前記第２蛍光体によって発光された混合光は、１９３１ＣＩＥ色度図のプランク軌跡よりも上方にあり、プランク軌跡上のポイントから１０段階マッカダム楕円の外側にあるカラーポイントを有する光を発光する、ソリッドステート照明装置。
【請求項２】
前記第２ＬＥＤは、可視スペクトルのうちの青色部分内の飽和した光を発光する第２ＬＥＤチップを備え、更に前記第２ＬＥＤチップによって発光された光を受光し、これに応答して黄色光を発光するようになっている第２蛍光体を含む、請求項１に記載のソリッドステート照明装置。
【請求項３】
前記第２ＬＥＤチップは、約４３０ｎｍ〜約４７０ｎｍまでの主要波長を有し、前記第２蛍光体は、約５５０ｎｍ〜約５９０ｎｍまでの主要波長を有する光を発光する、請求項２に記載のソリッドステート照明装置。
【請求項４】
第２ＬＥＤチップおよび第２蛍光体によって発生される混合光は、追加光がない場合、第１線分、第２線分、第３線分、第４線分および第５線分によって囲まれた１９３１ＣＩＥ色度図内に存在し得るあるポイントを定める、ｘ、ｙカラー座標を有する光のサブ混合光を発生し、前記第１線分は、第１ポイントを第２ポイントに接続し、前記第２線分は、前記第２ポイントを第３ポイントに接続し、前記第３線分は、前記第３ポイントを第４ポイントに接続し、前記第４線分は、前記第４ポイントを第５ポイントに接続し、前記第５線分は、前記第５ポイントを前記第１ポイントに接続し、前記第１ポイントは、０．３２のｘ座標および０．４０のｙ座標を有し、前記第２ポイントは、０．３６のｘ座標および０．４８のｙ座標を有し、前記第３ポイントは、０．４３のｘ座標および０．４５のｙ座標を有し、前記第４ポイントは、０．４２のｘ座標および０．４２のｙ座標を有し、前記第５ポイントは、０．３６のｘ座標および０．３８のｙ座標を有する請求項２記載のソリッドステート発光装置。
【請求項５】
前記第１のＬＥＤと前記蛍光体とによって発光された混合光のカラーポイントと前記第２のＬＥＤで発光された光のカラーポイントとの間の１９３１ＣＩＥ色度図上の線分は、約２５００Ｋおよび４５００Ｋとの間でプランク軌跡に交差する請求項１記載のソリッドステート照明装置。
【請求項６】
前記第１ＬＥＤチップは、約４４０ｎｍ〜約４６０ｎｍまでの主要波長を有し、前記蛍光体は、前記前記第１ＬＥＤチップが発光した光に応答して約６００ｎｍ〜約６３０ｎｍまでの主要波長を有する光を発光する、請求項１に記載のソリッドステート照明装置。
【請求項７】
前記第２ＬＥＤチップは、約４４０ｎｍ〜約４６０ｎｍまでの主要波長を有し、前記第２ＬＥＤは更に前記第２ＬＥＤチップが発光した光に応答して約５５０ｎｍから５９０ｎｍまでの主要波長を有する光を発光する第２蛍光体を備える、請求項６に記載のソリッドステート照明装置。
【請求項８】
可視スペクトルのうちの青色部分または緑色部分内の光を発光し、前記第１ＬＥＤの主要波長よりも少なくとも約１０ｎｍ長い主要波長を有する第３ＬＥＤを更に含む、請求項１に記載のソリッドステート照明装置。
【請求項９】
前記第３ＬＥＤは、前記第１ＬＥＤの主要波長よりも少なくとも約２０ｎｍ長い主要波長を有する、請求項８に記載のソリッドステート照明装置。
【請求項１０】
前記可視スペクトルのうちの赤色部分内の光を発光する第３ＬＥＤを更に含む、請求項１に記載のソリッドステート照明装置。
【請求項１１】
複数の第１ＬＥＤと複数の第２ＬＥＤとを更に備え、前記第１ＬＥＤと前記第２ＬＥＤとは、これらＬＥＤのそれぞれのメタメリックペア内に配置されており、前記ＬＥＤのそれぞれのメタメリックペアの各々によって発光される光は、ほぼターゲット色度を有する、請求項１に記載のソリッドステート照明装置。
【請求項１２】
少なくとも第１ＬＥＤおよび第２ＬＥＤを含む、複数の発光ダイオード（ＬＥＤ）を備えたソリッドステート照明装置であって、前記ＬＥＤペアからの光を混合することによって生じる混合光は、ほぼターゲット色度を有し、前記第１ＬＥＤは可視光のうちの青色部分または緑色部分内の光を発光する第１ＬＥＤチップを含み、更に前記第１ＬＥＤチップによって発光された光に応答し赤色光を発光する蛍光体を含み、前記第２ＬＥＤは１９３１ＣＩＥ色度図のプランク軌跡より上のカラーポイントを有する光を発光し、前記第２ＬＥＤは可視光のうちの青色部分の飽和光を発光する第２ＬＥＤチップを含み、更に前記第２ＬＥＤチップによって発光された光に応答し黄色光を発光する第２蛍光体を含み、前記第１ＬＥＤチップは約５００ｎｍ〜５５０ｎｍの主要波長を有するソリッドステート照明装置。
【請求項１３】
少なくとも第１ＬＥＤおよび第２ＬＥＤを含む、複数の発光ダイオード（ＬＥＤ）を備えたソリッドステート照明装置であって、前記ＬＥＤペアからの光を混合することによって生じる混合光は、ほぼターゲット色度を有し、前記第１ＬＥＤは可視光のうちの青色部分または緑色部分内の光を発光する第１ＬＥＤチップを含み、更に前記第１ＬＥＤチップによって発光された光に応答し赤色光を発光する蛍光体を含み、前記第２ＬＥＤは１９３１ＣＩＥ色度図のプランク軌跡より上のカラーポイントを有する光を発光し、前記第１ＬＥＤチップは約５００ｎｍ〜５５０ｎｍの主要波長を有するソリッドステート照明装置。
【請求項１４】
前記第２のＬＥＤチップは約約５００ｎｍ〜５５０ｎｍの主要波長を有し、前記蛍光体は第１の蛍光体を有し、前記第２ＬＥＤは更に、前記第２のＬＥＤチップが発光する光に応答して黄色光を発光する第２の蛍光体を含む、請求項第１３に記載のソリッドステート照明装置。
【請求項１５】
複数の発光ダイオード（ＬＥＤ）を含むソリッドステート照明装置であって、前記ＬＥＤの色度は、これらＬＥＤによって発光される光を混合することによって生じる混合光がほぼターゲット色度を有するよう選択されており、前記複数のＬＥＤは、可視スペクトルのうちの青色部分内の飽和光を発光する第１ＬＥＤチップを含む第１ＬＥＤと、前記第１ＬＥＤチップによって発光される青色光に応答して赤色光を発光する第１蛍光体と、（ａ）可視スペクトルのうちの緑色部分内の飽和光を発生する第２ＬＥＤ、または（ｂ）可視するのうちの青色部分内の飽和光を発光する第２ＬＥＤチップと、この第２ＬＥＤチップによって発光される光に応答して黄色光を発光する第２蛍光体を含む第２ＬＥＤのうちの一方を含み、前記第２ＬＥＤチップおよび前記第２蛍光体によって発光される混合光は、１９３１ＣＩＥ色度図上のプランク軌跡上のポイントのまわりの１０段階マッカダム楕円の外に位置するソリッドステート照明装置。
【請求項１６】
前記第１ＬＥＤと前記第２ＬＥＤとは、メタメリックペアとしてソリッドステート照明デバイス内に配置されている、請求項１５に記載のソリッドステート照明装置。
【請求項１７】
前記ターゲット色度は、１９３１ＣＩＥ色度図のプランク軌跡上のポイントの１０段階マッカダム楕円内に位置する、請求項１５に記載のソリッドステート照明装置。
【請求項１８】
前記第２ＬＥＤは、可視スペクトルのうちの青色部分内の飽和光を発光する第２ＬＥＤチップと、前記第２ＬＥＤチップによって発光された青色光に応答し、黄色光を発光する第２蛍光体とを含み、第２ＬＥＤチップおよび第２蛍光体によって発生される混合光は、追加光がない場合、第１線分、第２線分、第３線分、第４線分および第５線分によって囲まれた１９３１ＣＩＥ色度図内に存在し得るあるポイントを定める、ｘ、ｙカラー座標を有する光のサブ混合光を発生し、前記第１線分は、第１ポイントを第２ポイントに接続し、前記第２線分は、前記第２ポイントを第３ポイントに接続し、前記第３線分は、前記第３ポイントを第４ポイントに接続し、前記第４線分は、前記第４ポイントを第５ポイントに接続し、前記第５線分は、前記第５ポイントを前記第１ポイントに接続し、前記第１ポイントは、０．３２のｘ座標および０．４０のｙ座標を有し、前記第２ポイントは、０．３６のｘ座標および０．４８のｙ座標を有し、前記第３ポイントは、０．４３のｘ座標および０．４５のｙ座標を有し、前記第４ポイントは、０．４２のｘ座標および０．４２のｙ座標を有し、前記第５ポイントは、０．３６のｘ座標および０．３８のｙ座標を有する請求項１５記載のソリッドステート発光装置。
【請求項１９】
前記第１ＬＥＤチップおよび前記第２蛍光体によって発光される混合光は、追加光がない場合、１９３１ＣＩＥ色度図上の紫みを帯びた赤または赤−紫色領域内にあるポイントを定めるｘ、ｙカラー座標を有するサブ混合光を発生する、請求項１５に記載のソリッドステート照明装置。
【請求項２０】
前記第１ＬＥＤチップおよび前記蛍光体によって発光される混合光のカラーポイントと前記第２ＬＥＤによって発光される光のカラーポイントとの間の１９３１ＣＩＥ色度図上の線分は、約２５００ケルビンと約４５００ケルビンの間でプランク軌跡に交差する、請求項１５に記載のソリッドステート照明装置。
【請求項２１】
前記第１ＬＥＤチップは、約４４０ｎｍ〜４６０ｎｍまでの主要波長を有し、前記蛍光体は、前記第１ＬＥＤチップが発光する光に応答して、約６００ｎｍ〜約６３０ｎｍまでの主要波長を有する光を発光する、請求項１５に記載のソリッドステート照明装置。
【請求項２２】
ＬＥＤのメタメリックペアを含む複数の発光ダイオード（ＬＥＤ）を備える照明モジュールであって、前記メタメリックペアの前記ＬＥＤの色度は、前記メタメリックペアの前記ＬＥＤの各々からの光を混合することによって生じる混合光が、ほぼターゲット色度を有する光を含むよう選択されており、前記メタメリックペアは、可視スペクトルのうちの青色部分内の光を発光する第１ＬＥＤチップおよび前記第１ＬＥＤチップが発光した青色光に応答し、赤色光を発光する蛍光体を含む第１ＬＥＤと、他の光が存在しない場合に緑色、黄みを帯びた緑色、または黄色−緑色に見える非白色光を発光する第２ＬＥＤとを含み、前記第２ＬＥＤは、可視スペクトルのうちの青色部分内の飽和光を発光する第２ＬＥＤチップおよび前記第２ＬＥＤチップによって発光された光に応答して、黄色光を発光する第２蛍光体を含み、前記第２ＬＥＤチップおよび第２蛍光体によって発光された混合光は、１９３１色度図上のプランク軌跡上のポイントまわりにて、１０段階マッカダム楕円の外部に位置する、照明モジュール。
【請求項２３】
少なくとも第１ＬＥＤおよび第２ＬＥＤを含む複数の発光ダイオード（ＬＥＤ）を備えたソリッドステート照明装置であって、前記ＬＥＤのペアからの光を混合することによって生じる混合光は、ほぼターゲット色度を有し、
前記第１ＬＥＤは、可視光のうちの青色部分または緑色部分内の光を発光する第１ＬＥＤチップを含み、更に前記第１ＬＥＤチップによって発光された光に応答し、赤色光を発光する蛍光体を含み、
前記第１ＬＥＤチップおよび前記蛍光体の混合光は第１カラーポイントを有し、
前記第２ＬＥＤは、第２カラーポイントを有する光を発光し、
前記第１カラーポイントと前記第２カラーポイントとの間の１９３１ＣＩＥ色度図上の線分は、約２５００ケルビンと４５００ケルビンの間でプランク軌跡に交差する、ソリッドステート照明装置。
【請求項２４】
前記第２ＬＥＤチップは、約４３０ｎｍ〜約５００ｎｍまでの主要波長を有する、請求項２３に記載のソリッドステート照明装置。
【請求項２５】
前記第２ＬＥＤチップは、約４８０ｎｍ〜約５００ｎｍまでの主要波長を有する、請求項２４に記載のソリッドステート照明装置。
【請求項２６】
前記第２ＬＥＤチップは、約４９０ｎｍ〜約５００ｎｍまでの主要波長を有する、請求項２５に記載のソリッドステート照明装置。
【請求項２７】
前記第２ＬＥＤの前記カラーポイントは、前記プランク軌跡上のポイントからの１０段階のマッカダム楕円の外にある、請求項２３に記載のソリッドステート照明装置。